(57)【要約】【課題】電源スイッチの操作が受理されたか否かを確実に認識させ得る背面投射型表示装置を提供する。【解決手段】光源ランプ３から射出された光を光変調してその背面側から投射してスクリーン６に表示画面を表示可能に構成されたテレビジョン装置１であって、陰極線管表示器において消磁処理を実行した際に発せられる消磁音に近似する疑似消磁音をテレビジョン装置１の電源投入時に放音するデガウス音発生部１３、アンプ１１およびスピーカ１２を備えている。【選択図】        図１
2004274255.tif 000002
【特許請求の範囲】
【請求項１】
光源ランプから射出された光を光変調してその背面側から投射してスクリーンに表示画面を表示可能に構成された背面投射型表示装置であって、
陰極線管表示器において消磁処理を実行した際に発せられる消磁音に近似する疑似消磁音を当該背面投射型表示装置の電源投入時に放音する疑似消磁音放音手段を備えている背面投射型表示装置。
【発明の詳細な説明】
【０００１】
【発明の属する技術分野】
本発明は、光源ランプから射出された光を光変調してスクリーンに表示画面を表示可能に構成された背面投射型表示装置に関するものである。
【０００２】
【従来の技術】
この種の背面投射型表示装置として、出願人は、特開２００２−１３９７９４号公報に背面投射型表示装置（１０）を開示している。この背面投射型表示装置は、高圧水銀ランプやメタルハライドランプ等からなる光源（２１）を有して赤色光、緑色光および青色光を射出する光発生手段（２０）と、光発生手段によって射出された光を光変調する光変調装置（３０Ｒ，３０Ｇ，３０Ｂ）と、光変調装置によって光変調された光を拡大するためのレンズ等からなる投写光学系（４０Ｒ，４０Ｇ，４０Ｂ）と、投写光学系によって拡大された光を反射する反射ミラー（５１，５２）と、反射ミラーによって反射された光を受光して各種の表示画面を投射表示可能に構成された背面投射型のスクリーン（６０）とを備えている。この背面投射型表示装置では、利用者によって電源スイッチが操作されて電源が投入された際に、光発生手段に対する通電が開始されて光源が点灯させられる。次に、光発生手段によって射出された光が光変調装置によって光変調されて、投写光学系および反射ミラーを経てスクリーンに背面側から投射される。これにより、光変調装置による光変調に応じた表示画面がスクリーンに投射表示される。
【０００３】
【特許文献１】
特開２００２−１３９７９４号公報（第４−６頁）
【０００４】
【発明が解決しようとする課題】
ところが、この背面投射型表示装置には、以下の改善すべき課題がある。すなわち、この背面投射型表示装置では、光源として高圧水銀ランプやメタルハライドランプ等が採用されている。この場合、高圧水銀ランプやメタルハライドランプは、通電が開始されてから、表示画面の投射表示が可能な程度に輝度が上昇するまでに、数十秒から数分程度の時間を要する。したがって、利用者によって電源スイッチが操作されてから暫くの間は、表示画面がスクリーンに投射表示されない状態となる。このため、この背面投射型表示装置では、電源スイッチを操作した際に、その操作が背面投射型表示装置によって受理されたか否かを認識させるのが困難であり、これを改善するのが好ましい。
【０００５】
本発明は、かかる改善すべき課題に鑑みてなされたものであり、電源スイッチの操作が受理されたか否かを確実に認識させ得る背面投射型表示装置を提供することを主目的とする。
【０００６】
【課題を解決するための手段】
上記目的を達成すべく本発明に係る背面投射型表示装置は、光源ランプから射出された光を光変調してその背面側から投射してスクリーンに表示画面を表示可能に構成された背面投射型表示装置であって、陰極線管表示器において消磁処理を実行した際に発せられる消磁音に近似する疑似消磁音を当該背面投射型表示装置の電源投入時に放音する疑似消磁音放音手段を備えている。
【０００７】
この背面投射型表示装置では、利用者によって例えば電源スイッチが操作されて電源が投入された際に、疑似消磁音放音手段が、陰極線管表示器において消磁処理を実行した際に発せられる消磁音に近似する疑似消磁音を放音する。この場合、陰極線管表示器を採用したテレビジョン装置等では、一般的に、電源投入時に消磁処理が自動的に実行される。したがって、陰極線管表示器を採用したテレビジョン装置等に慣れ親しんだ利用者にとっては、電源スイッチの操作時におけるデガウス音の発生現象が違和感なく受け入れられる。したがって、電源投入時に疑似消磁音を放音することにより、電源スイッチの操作が正常に受理されたことを確実に利用者に認識させることが可能となる。
【０００８】
【発明の実施の形態】
以下、添付図面を参照して、本発明に係る背面投射型表示装置の好適な発明の実施の形態について説明する。
【０００９】
図１に示すテレビジョン装置１は、本発明に係る背面投射型表示装置の一例であって、ランプドライバ２、光源ランプ３、液晶ライトバルブ４、投射レンズ５、スクリーン６、ＴＶチューナ７、表示制御部８、ライトバルブ駆動部９、音声制御部１０、アンプ１１、スピーカ１２、デガウス音発生部１３および主制御部１４を備えて、各種の表示画面を表示可能に構成されている。また、テレビジョン装置１は、図示しない電源部、操作部（電源スイッチやチャネル選択ボタン等）、リモートコントローラおよび映像信号入力部などを備えている。
【００１０】
ランプドライバ２は、主制御部１４の制御に従い、光源ランプ３に対する電源の供給またはその供給停止を行うことにより、光源ランプ３の点灯（通電開始）および消灯（通電停止）を制御する。光源ランプ３は、一例として高圧水銀ランプで構成され、ランプドライバ２の制御に従って点灯させられて白色光を射出する。液晶ライトバルブ４は、液晶パネル、入射側偏光板および射出側偏光板を備えて構成され、光源ランプ３によって射出された白色光をライトバルブ駆動部９の制御に従って陰影や着色が施された投射光Ｌに光変調する。投射レンズ５は、液晶ライトバルブ４によって光変調された投射光Ｌを拡大してスクリーン６の背面側に向けて投射する。なお、このテレビジョン装置１では、実際には、投射レンズ５によって拡大された投射光Ｌが反射ミラーによって反射されてスクリーン６に投射されているが、本発明についての理解を容易とするために、その図示および説明を省略する。スクリーン６は、液晶ライトバルブ４によって光変調された投射光Ｌを受光して拡散または平行光に変換することにより、各種の表示画面を表示する。
【００１１】
ＴＶチューナ７は、図示しないアンテナを介してＴＶ放送波を受信して映像信号Ｓｖおよび音声信号Ｓｓを抽出して出力する。表示制御部８は、ＴＶチューナ７によって出力された映像信号Ｓｖに基づいて、例えばＲＧＢ形式の映像信号を生成してライトバルブ駆動部９に出力する。ライトバルブ駆動部９は、表示制御部８によって出力された映像信号に応じて液晶ライトバルブ４を駆動することにより、液晶ライトバルブ４に対して上記の光変調を実行させる。音声制御部１０は、ＴＶチューナ７によって出力された音声信号Ｓｓのうちから、映像の表示と共に放音する音声（一例として、主音声および副音声のいずれか）に関する音声信号を抽出して出力する。アンプ１１は、音声制御部１０によって出力された音声信号や、デガウス音発生部１３によって出力されるデガウス音信号Ｓｄを増幅して出力する。スピーカ１２は、アンプ１１によって増幅された音声信号に基づく各種音声を放音する。
【００１２】
デガウス音発生部１３は、アンプ１１およびスピーカ１２と相俟って本発明における疑似消磁音放音手段を構成し、本発明における疑似消磁音に相当するデガウス音近似音を放音するためのデガウス音信号Ｓｄを生成して出力する。具体的には、図２に示すように、デガウス音発生部１３は、例えば、スイッチ２１、電源供給用のトランジスタ２２、抵抗２３，２４、コンデンサ２５〜２９、発振回路２８およびローパスフィルタ２９を備えて構成されている。ここで、スイッチ２１は、電源投入時に主制御部１４から出力される電源制御信号Ｓｐによってオン状態に制御されてトランジスタ２２に電源を供給する。トランジスタ２２は、供給された電源の発振回路２８への供給を制御する。抵抗２３，２４は、コンデンサ２５と相俟って時定数回路を構成し、トランジスタ２２を介して発振回路２８に供給する電源のその供給時間を規定する。発振回路２８はデガウス音信号Ｓｄの基となる矩形波を発振する。ローパスフィルタ２９は、直流カット用のコンデンサ２６を介して発振回路２８から出力された矩形波の基本周波数成分を通過させてデガウス音信号Ｓｄを生成し、そのデガウス音信号Ｓｄを直流カット用のコンデンサ２７を介してアンプ１１に出力する。
【００１３】
この場合、ローパスフィルタ２９から出力されるデガウス音信号Ｓｄは、陰極線管（ブラウン管）表示器において消磁処理を実行する際に発せられる「ブーン」という音に近似するように生成されている。このため、発振回路２８は、４０Ｈｚから７０Ｈｚまでのうちの所定周波数（一例として、５０Ｈｚまたは６０Ｈｚ）をその基本周波数成分として発振する。また、抵抗２３，２４およびコンデンサ２５による時定数が５秒程度またはそれ以内に規定されており（以後、一例として１秒とする）、そのため、トランジスタ２２から出力されるコレクタ電流は、電源投入時から比較的短時間で最大となり、その後、徐々に減少し、５秒後には、ほぼ０アンペアとなる。したがって、発振回路２８から出力される矩形波の電圧は、電源投入時から比較的短時間で最大に達した後に徐々に低下し、１秒後にはゼロボルトにまで低下する。この結果、このデガウス音発生部１３は、この例では基本周波数成分が５０Ｈｚまたは６０Ｈｚで１秒後にゼロの音圧レベルにまで低下するデガウス音信号Ｓｄを出力する。なお、陰極線管表示器を採用したテレビジョン装置では、一般的に、電源投入時に消磁処理が自動的に実行される。したがって、陰極線管表示器を採用したテレビジョン装置に慣れ親しんだ利用者は、電源スイッチの操作時にデガウス音信号Ｓｄが発せられる現象を違和感なく受け入れることができると共に、電源スイッチの操作が受理されたことを確実に認識することができる。
【００１４】
主制御部１４は、ランプドライバ２、ＴＶチューナ７、表示制御部８および音声制御部１０などのテレビジョン装置１全体の動作を統括的に制御すると共に、上記したように電源制御信号Ｓｐを出力してデガウス音発生部１３によるデガウス音信号Ｓｄの発生を制御する。
【００１５】
このテレビジョン装置１では、装置本体に配設された電源スイッチが利用者によって操作されて電源が投入された際に、まず、主制御部１４がランプドライバ２に光源ランプ３に対する通電を開始させる旨を指示する制御信号を出力する。これに応じて、ランプドライバ２は、光源ランプ３に対する通電を開始する。また、主制御部１４は、デガウス音発生部１３に電源制御信号Ｓｐを出力する。この際には、デガウス音発生部１３において、スイッチ２１がデガウス音信号Ｓｄの出力時間よりも長時間（例えば５秒間程度）オン状態に維持されることにより、トランジスタ２２が、上記したように、コレクタ電流を発振回路２８に１秒間だけ供給する。この結果、上記したように、デガウス音発生部１３からデガウス音信号Ｓｄが出力される。次いで、出力されたデガウス音信号Ｓｄは、アンプ１１によって増幅されてスピーカ１２に出力される。これにより、スピーカ１２から「ブーン」という音（デガウス音の近似音）が放音される。この場合、スピーカ１２から放音される音が上記したように陰極線管表示器を採用したテレビジョン装置において電源投入時に放音されるデガウス音に近似しているため、利用者は、電源スイッチを操作した時点で、テレビジョン装置１によって電源投入操作が受理された（電源投入が完了した）と認識する。
【００１６】
一方、電源投入に伴って通電が開始された光源ランプ３の輝度は、通電開始から１０秒程度が経過した時点でスクリーン６に投射表示される表示画面を認識可能な程度にまで上昇し、その後に３０秒程度経過した時点で表示画面をはっきりと認識可能な程度にまで上昇する。一方、ＴＶチューナ７は、電源が投入された際にＴＶ放送波の受信を開始して映像信号Ｓｖおよび音声信号Ｓｓを抽出すると共に、表示制御部８に映像信号Ｓｖを出力し、音声制御部１０に音声信号Ｓｓを出力する。この際に、表示制御部８は、ＴＶチューナ７によって出力された映像信号Ｓｖに基づいてＲＧＢ形式の映像信号を生成してライトバルブ駆動部９に出力する。これに応じて、ライトバルブ駆動部９は、光源ランプ３によって射出された白色光を表示画面表示用の投射光Ｌに光変換する。これにより、投射レンズ５によって拡大された投射光Ｌがスクリーン６に投射されて、映像信号Ｓｖに対応する表示画面がスクリーン６に投射表示される。また、音声制御部１０が、ＴＶチューナ７によって出力された音声信号Ｓｓのうちから例えば主音声に対応する音声信号を出力する。これにより、音声制御部１０によって出力された音声信号がアンプ１１によって増幅されて、この例では主音声がスピーカ１２から放音される。
【００１７】
このように、このテレビジョン装置１によれば、電源投入時にデガウス音発生部１３によって生成されたデガウス音信号Ｓｄをアンプ１１がデガウス音の近似音として増幅して、そのデガウス音の近似音をスピーカ１２が放音することにより、電源スイッチの操作がテレビジョン装置１に受理されたか否かを利用者に対して確実に認識させることができる。この場合、表示装置の電源投入時に発せられる音として利用者に広く浸透しているデガウス音の近似音を電源投入時に放音することにより、電源投入時に「ピー」といった音圧一定の電子音を放音する他の電子機器とは異なり、耳障りとなる事態を回避しつつ、電源投入完了の事実を違和感なく認識させることができる。
【００１８】
なお、本発明は、上記した本発明の実施の形態に限定されない。例えば、本発明の実施の形態では、発振回路２８等を備えて構成されたデガウス音発生部１３がデガウス音信号Ｓｄを生成してスピーカ１２から放音させる構成について説明したが、これに限定されない。具体的には、一例として、陰極線管表示器において消磁処理を実行した際に発せられる消磁音をサンプリングして予めディジタルデータ化したデガウス音データを電源投入時に再生する構成を採用することができる。また、本発明の実施の形態では、装置本体に配設された電源スイッチが操作された際にデガウス音を放音する例について説明したが、リモートコントローラを使用して電源が投入された際にも、同様にしてスピーカ１２からデガウス音信を放音させることができる。この場合、リモートコントローラを使用してテレビジョン装置１を操作する際には、リモートコントローラを操作する利用者がテレビジョン装置１からある程度離れているため、比較的大きな音で放音する必要がある。この際に、このテレビジョン装置１では、上記した他の電子機器において放音される電子音とは異なり、表示装置の電源投入時に発せられる音として利用者に広く浸透しているデガウス音の近似音を電源投入時に放音することにより、ある程度大きな音で放音したとしても耳障りとなる事態を十分に回避することができる。また、本発明における疑似消磁音放音手段に相当するデガウス音発生部１３の構成も上記の構成に限らず、適宜変更が可能である。例えば、主制御部１４がトランジスタ２２のエミッタに電源を直接的に供給する構成を採用することもできる。
【図面の簡単な説明】
【図１】テレビジョン装置１の構成を示すブロック図である。
【図２】デガウス音発生部１３の構成を示す回路図である。
【符号の説明】
１  テレビジョン装置、２  ランプドライバ、３  光源ランプ、４  液晶ライトバルブ、６  スクリーン、８  表示制御部、９  ライトバルブ駆動部、１０  音声制御部、１１  アンプ、１２  スピーカ、１３  デガウス音発生部、１４  主制御部、Ｌ  投射光、Ｓｄ  デガウス音信号、Ｓｐ  電源制御信号、Ｓｓ  音声信号、Ｓｖ  映像信号
【図１】
2004274255.tif 000003
【図２】
2004274255.tif 000004